(57)【要約】【課題】  精度の高い微細パターンを形成することができるロータリースクリーン印刷用製版を提供する。【解決手段】  ロータリースクリーン印刷装置に用いられ、全体が円筒状に形成されたロータリースクリーン印刷用製版において、所定の厚さを備え、複数の貫通孔が形成された第１のシート１と、第１のシート２上に接着され、乳剤が付着された網状の第２のシート２とを有する。第１のシート１は、８０μｍ以上の厚さを備えており、第２のシート２は、２００〜１０００メッシュの織物で形成されている。【選択図】  図１
2006150868.tif 000002
【特許請求の範囲】
【請求項１】
ロータリースクリーン印刷装置に用いられ、全体が円筒状に形成されたロータリースクリーン印刷用製版において、
ロータリースクリーン用として要求される強度を備え、複数の貫通孔が形成された第１のシートと、
前記第１のシート上に接着され、乳剤が付着された網状の第２のシートと、
を有することを特徴とするロータリースクリーン印刷用製版。
【請求項２】
前記第１のシートは、所定の厚さを備えていることを特徴とする請求項１に記載のロータリースクリーン印刷用製版。
【請求項３】
前記第２のシートは、２００〜１０００メッシュの織物で形成されていることを特徴とする請求項１又は２に記載のロータリースクリーン印刷用製版。
【請求項４】
前記第１のシートの貫通孔にインク引込部材が挿入されていることを特徴とする請求項１乃至３のいずれか１つの項に記載のロータリースクリーン印刷用製版。
【発明の詳細な説明】
【技術分野】
【０００１】
本発明は、ロータリースクリーン印刷装置に用いられるロータリースクリーン印刷用製版（ここでは、スクリーンマスクも含まれるものとする）に関し、特に、精度の高い微細パターンを形成することができるロータリースクリーン印刷用製版に関する。
【背景技術】
【０００２】
一般に、ロータリースクリーン印刷装置は、ＩＣチップ、ＩＣカード、ＩＣタグ、電池、インクリボン、コンデンサ等の各種製品の製造に広く用いられている。
【０００３】
図３は、従来のロータリースクリーン印刷装置を概略的に示す説明図である。図３に示すように、従来のロータリースクリーン印刷装置５０は、例えばニッケル等で形成された円筒状の印刷用製版５１と、印刷用製版５１に当接して通過する基材５４を位置決め保持するためのバックアップローラ５２とを有する。また、印刷用製版５１内部には、印刷用製版５１に形成された多数の貫通孔を介してインク５３を基材５４に押圧するためのスキージ５５が設けられている。
【０００４】
印刷用製版５１とバックアップローラ５２とは互いに反対方向に回転し、印刷用製版５１とバックアップローラ５２との間を基材５４が通過することにより、スキージ５５の押圧作用によって印刷用製版５１の貫通孔を通ったインク５３が基材５４の一方側の面に付着し、基材５４に所望の印刷が行われる。
【０００５】
従来のロータリースクリーン印刷装置に用いられる印刷用製版は、自身が回転するために、ある程度の強度性が要求され、所定の厚みを必要とする。そのため、１００μｍの幅のラインからなるパターンの印刷が構造上の限界であった（以下、この技術を従来例１という）。
【０００６】
また、特開２００３−３０７８３３号公報には、開口幅の異なる少なくとも２枚以上の紗を有する印刷用製版が開示されている。この従来の印刷用製版によれば、開口部内でのインクの流動性を調整することが容易となり、高精細なパターンの印刷が可能となる、としている（以下、この技術を従来例２という）。
【０００７】
【特許文献１】特開２００３−３０７８３３号公報
【発明の開示】
【発明が解決しようとする課題】
【０００８】
従来例１の印刷用製版では、１００μｍよりも短い幅のライン（例えば３０〜５０μｍ）からなる微細パターンの印刷を行うことは困難であった。
【０００９】
従来例２の印刷用製版では、ロータリースクリーン印刷用として用いることができるとしているが、公報の図４を参照すると、２つの紗１１，１２はいずれもほぼ同じ厚さであり、ロータリースクリーン印刷として要求される強度性を確保することは困難である。従って、従来例２の印刷用製版をフラットスクリーン印刷に用いた場合には、精細なパターンの印刷ができたとしても、ロータリースクリーン印刷に用いた場合にはパターン精度が不良になるという課題がある。
【００１０】
本発明は、上記課題を解決するためになされたものであり、精度の高い微細パターンを形成することができるロータリースクリーン印刷用製版を提供することを目的とする。
【課題を解決するための手段】
【００１１】
本発明のロータリースクリーン印刷用製版は、ロータリースクリーン印刷装置に用いられ、全体が円筒状に形成されたロータリースクリーン印刷用製版において、ロータリースクリーン用として要求される強度を備え、複数の貫通孔が形成された第１のシートと、前記第１のシート上に接着され、乳剤が付着された網状の第２のシートと、を有することを特徴とするものである。
【００１２】
前記第１のシートは、所定の厚さを備えているのが好ましい。
【００１３】
前記第２のシートは、２００〜１０００メッシュの織物で形成されているのが好ましい。
【００１４】
前記第１のシートの貫通孔にインク引込部材が挿入されていてもよい。
【発明を実施するための最良の形態】
【００１５】
以下、本発明の実施の形態について図面を参照して説明する。図１（Ａ）は本発明の実施の形態に係るロータリースクリーン印刷用製版を示す平面断面図、（Ｂ）はその側面断面図である。
【００１６】
図１（Ａ）及び（Ｂ）に示すように、本発明の実施の形態に係るロータリースクリーン印刷用製版は、全体が円筒状に形成されており、ロータリースクリーン用として要求される強度を備え、複数の貫通孔１ａが形成された第１のシート１と、第１のシート１上に接着された網状の第２のシート２とを有する。
【００１７】
第１のシート１は、例えばニッケル、銅、ステンレス（ｓｕｓ）等の金属（メタル）を材質にして作られている。また、第１のシート１は、孔の均一性やシャープ性に優れたエレクトロフォーミング（電鋳方式）により製造されるのが好ましい。
【００１８】
なお、第１のシート１は、エレクトロフォーミングの他に、パンチングやエッチング等を用いた製造方法により製造されるものでもよい。
【００１９】
第１のシート１は、ロータリースクリーン印刷として要求される強度性を確保するために、８０μｍ以上の厚さを備えているのが好ましい。なお、８０μｍよりも薄くても強度性や印刷精度を確保できるシートであれば、用いることも可能である。
【００２０】
また、第１のシート１に形成される貫通孔１ａは、必ずしも等間隔に形成される必要はなく、その強度性を満たすのであれば、貫通孔１ａの開口部の幅や貫通孔１ａ間の間隔等は特に限定されない。貫通孔１ａは、インクが流れやすくするために、例えば、孔の内側面の一部又は全部をテーパ状に形成してもよい。
【００２１】
第２のシート２は、例えば、合成樹脂や金属の細線を縦糸及び横糸として織られた網状の織物であり、２００〜１０００メッシュ（好ましくは２００〜５９０もしくは６８０以下のメッシュ）程度のものが用いられる。第２のシート２は、例えばエッチングで製造された金属箔シートであってもよい。
【００２２】
第１のシート１と第２のシート２は、エッチング法、接着剤を用いた方法等により接着されている。
【００２３】
図１（Ｂ）に示すように、第２のシート２には、印刷パターンを形成するために、感光性樹脂（エマルジョン）等の乳剤３が付着されている。
【００２４】
本発明の実施の形態に係る印刷用製版によれば、第１のシート１に２００〜１０００メッシュの網状の第２のシート２が接着されているので、従来の１００μｍよりも短い幅のライン（例えば３０〜５０μｍ）からなる微細パターンの印刷を行うことができる。
【００２５】
また、第１のシート１は、ロータリースクリーン用として要求される強度を備えているので、ロータリースクリーン印刷に用いた場合であっても、精度の高い微細パターンの印刷を行うことができる。
【００２６】
図２は、本発明の他の実施の形態に係るロータリースクリーン印刷用製版を示す側面断面図である。
【００２７】
ロータリースクリーン印刷では、スキージの押圧作用によって第１のシート１の貫通孔１ａにインクが通ることになるが、貫通孔１ａの開口周縁部での表面張力の作用で、インクが第１のシート１の貫通孔１ａに入り込まない現象が生じる場合がある。このような場合、十分な量のインクが基材に付着されず、印刷が不良になってしまうという問題がある。
【００２８】
そこで、第１のシート１の貫通孔１ａにメッシュ部材等のインク引込部材４を挿入してもよい。これによって、貫通孔１ａの開口周縁部のインクがインク引込部材４に当たって、十分な量のインクが貫通孔１ａを通り、基材に付着させることが可能となる。
【００２９】
本発明は、上記実施の形態に限定されることはなく、特許請求の範囲に記載された技術的事項の範囲内において、種々の変更が可能である。例えば、第１のシート１及び第２のシート２の材質は上記に記載されたものに限定されるものではない。
【産業上の利用可能性】
【００３０】
精度の高い微細パターンを形成することができるロータリースクリーン印刷用製版として、各種製品の製造に利用される。
【図面の簡単な説明】
【００３１】
【図１】（Ａ）は本発明の実施の形態に係るロータリースクリーン印刷用製版を示す平面断面図、（Ｂ）はその側面断面図である。
【００３２】
【図２】本発明の他の実施の形態に係るロータリースクリーン印刷用製版を示す側面断面図である。
【００３３】
【図３】従来のロータリースクリーン印刷装置を概略的に示す説明図である。
【符号の説明】
【００３４】
１：第１のシート
１ａ：貫通孔
２：第２のシート
３：乳剤
４：インク引込部材
【図１】
2006150868.tif 000003
【図２】
2006150868.tif 000004
【図３】
2006150868.tif 000005